(57)【特許請求の範囲】
【請求項１】
ミシン主軸を内蔵するベッド本体の一側に突設され、その上部に針落ち位置が設定してある筒形ベッドと、
少なくとも一部を前記ベッド本体の外側に突出させて配してあり、前記ミシン主軸からの伝動により軸回りに全回転する伝動軸と、
該伝動軸の突出部から前記筒形ベッドの前部に至るまで、前記ベッド本体の前部外側に沿って架設されたメス軸と、
該メス軸の一端を前記伝動軸の突出部に連結し、該伝動軸の全回転に応じて前記メス軸を所定の角度範囲内にて反復回動させる伝動手段と、
前記メス軸の他端部に取り付けてあり、該メス軸の反復回動に応じて前記針落ち位置の前部に出没する可動メスと、
該可動メスの一側に摺接し、前記針落ち位置に送り込まれる生地の端縁を切断する固定メスと
を具備することを特徴とするメス付きミシン。
【請求項２】
前記伝動軸は、前記ベッド本体の外部に配してある糸繰りカムへの伝動軸を兼ねる請求項１記載のメス付きミシン。
【請求項３】
前記伝動手段は、前記伝動軸の一部に嵌合保持されたエキセン環と、前記メス軸に一端部を嵌着され、他端部を前記エキセン環に連結された伝動レバーと、該伝動レバーへの前記エキセン環の連結部位を伝動レバーの長手方向に変更する手段とを備える請求項１又は請求項２記載のメス付きミシン。
【発明の詳細な説明】
【０００１】
【発明の属する技術分野】
本発明は、針落ち位置の前側のミシンベッド上に可動メスを出没させ、当該位置に配した固定メスに摺接せしめて、針落ち位置に送り込まれる生地の端縁を切断する構成としたメス付きミシンに関する。
【０００２】
【従来の技術】
例えば、スウェットパンツ、幼児用のズボン等の縫製において、胴回りにゴム通し部を設ける場合、縫製対象となる生地を、その端縁を所定幅に亘って裏面側に折り返した状態で針落ち位置に送り込み、前記端縁を表面側の生地に縫い付けるヘム縫いが行われる。
【０００３】
このようなヘム縫いを実施するため、特開平10-287号公報等に開示されているように、針落ち位置の前下部にミシン主軸からの伝動により上下揺動する可動メスを配し、この可動メスの鉤形に湾曲する先端刃部をミシンベッド上に出没せしめ、該当位置に配した固定メスに摺接させる構成としたメス付きミシンが、従来から用いられている。
【０００４】
この構成によれば、ヘム縫いを行わせるべく裏面側に折り返された生地の端縁が、前記可動メスの先端刃部に捉えられて引下げられ、前記固定メスとの間にて略一定の折り返し幅を余して切断される結果、切断後の端縁に対して安定したヘム縫いを高能率にて行わせることが可能となる。
【０００５】
【発明が解決しようとする課題】
さて、以上の如きメス付きミシンにおいて、前記可動メスは、ミシンベッドの内部に架設されたメス軸にその基端部を嵌着して取り付けてあり、該メス軸は、ミシン各部の他の可動部（針、ルーパ、送り歯等）用の伝動軸と同様、公知のエキセン機構を介してミシン主軸に連結され、該ミシン主軸の回転に応じて所定の角度範囲にて反復回動するようになしてある。この伝動構成により可動メスは、ミシン主軸の回転に応じてメス軸の軸回りに揺動し、この揺動により上下動する先端歯部がミシンベッド上に出没し、固定メスと摺接して、前記生地の端縁が切断されることとなる。
【０００６】
一方、前記ヘム縫いは、胴回りのゴム通し部の形成のため、前述したスウェットパンツ、幼児用のズボン等、筒状の形態をなす縫製物を対象として行われることから、ヘム縫い用のミシンは、ミシン主軸を内蔵するミシン本体の一側に、筒状縫製物の挿通が可能な筒形ベッドを突設し、この筒形ベッドの上部に針落ち位置を設定した構成とされるのが一般的である。
【０００７】
このような筒形ベッドを備えるヘム縫い用のミシンを、前記可動メス及び固定メスを備えるメス付きミシンとして構成する場合、針落ち位置の前側を動作域とする可動メスは、縫製生地に送りを付与する送り歯と共に筒形ベッドの内部に収納されることとなり、従来においては、前記送り歯用の伝動軸を前記可動メス用の伝動軸（メス軸）として兼用し、両者の伝動機構が、筒形ベッド内部の限られたスペース内に干渉せずに配置できるようにしている。
【０００８】
しかしながら、前記筒形ベッドの大きさは、対象となる筒状縫製物の挿通が可能なように決定されるものであり、小サイズの筒状縫製物を含めて広範囲の縫製に対応するために、直径が 180mm程度の細径の筒形ベッドを備えるミシンが製品化されている。このようなミシンにおいては、筒形ベッドの内部での送り歯用の伝動軸を細径化せざるを得ず、前述の如く、可動メス用のメス軸として兼用した場合、該伝動軸が、可動メスによる切断時に加わる負荷の作用により捩れを伴って反復回動し、可動メスによる切断動作のみならず、送り歯による送り動作に支障を来す虞れがあり、高速下にて安定した縫い動作が行えなくなるという問題があった。
【０００９】
本発明は斯かる事情に鑑みてなされたものであり、針落ち位置前に出没する可動メスへの伝動をベッド本体の外側に配したメス軸を介して行わせ、細径の筒形ベッド上に針落ち位置を備える構成においても、可動メスによる切断動作及び送り歯による送り動作に支障を来すことがなく、高速下にて安定したヘム縫いを行わせ得るメス付きミシンを提供することを目的とする。
【００１０】
【課題を解決するための手段】
本発明の第１発明に係るメス付きミシンは、ミシン主軸を内蔵するベッド本体の一側に突設され、その上部に針落ち位置が設定してある筒形ベッドと、少なくとも一部を前記ベッド本体の外側に突出させて配してあり、前記ミシン主軸からの伝動により軸回りに全回転する伝動軸と、該伝動軸の突出部から前記筒形ベッドの前部に至るまで、前記ベッド本体の前部外側に沿って架設されたメス軸と、該メス軸の一端を前記伝動軸の突出部に連結し、該伝動軸の全回転に応じて前記メス軸を所定の角度範囲内にて反復回動させる伝動手段と、前記メス軸の他端部に取り付けてあり、該メス軸の反復回動に応じて前記針落ち位置の前部に出没する可動メスと、該可動メスの一側に摺接し、前記針落ち位置に送り込まれる生地の端縁を切断する固定メスとを具備することを特徴とする。
【００１１】
本発明においては、一側に筒形ベッドを備えるベッド本体の前部外側に沿って架設したメス軸を、ベッド本体の外側への伝動軸の突出部に伝動手段を介して連結し、筒形ベッドの前位置にまで延設された前記メス軸の端部に可動メスを取り付けて、ミシン主軸からの伝動に応じて生じる伝動軸の全回転、即ち、一方向の連続回転を伝動手段を介してメス軸に伝えて該メス軸を反復回動させ、この反復回動を可動メスに伝えて針落ち位置の前部に出没させる。
【００１２】
また第２発明に係るメス付きミシンは、第１発明における伝動軸が、前記ベッド本体の外部に配してある糸繰りカムへの伝動軸を兼ねることを特徴とする。
【００１３】
この発明においては、ミシンベッドの外部に配された糸繰りカムへの伝動軸をメス軸への伝動軸として兼用し、専用の伝動軸を不要とする。
【００１４】
更に第３発明に係るメス付きミシンは、第１発明又は第２発明における伝動手段が、前記伝動軸の一部に嵌合保持されたエキセン環と、前記メス軸に一端部を嵌着され、他端部を前記エキセン環に連結された伝動レバーと、該伝動レバーへの前記エキセン環の連結部位を伝動レバーの長手方向に変更する手段とを備えることを特徴とする。
【００１５】
この発明においては、伝動軸とメス軸とを、前者に嵌合保持されたエキセン環と、後者に嵌着された伝動レバーとを連結して構成し、伝動軸の回転に応じてメス軸の反復回動せしめる構成とし、更に、エキセン環と伝動レバーの連結位置を該伝動レバーの長手方向に変更可能とし、この変更により、メス軸の反復回動によって生じる可動メスの動作ストロークを簡易に調節する。
【００１６】
【発明の実施の形態】
以下本発明をその実施の形態を示す図面に基づいて詳述する。図１は、本発明に係るメス付きミシンの全体構成を示す斜視図である。
【００１７】
図示のミシンは、ベッド本体Ｂ上に立設された脚部Ｃによりその基端を支持されたミシンアームＡを備え、またベッド本体Ｂの一側に、ミシンアームＡの下方に並行するように突設された細径の筒形ベッドＢ1 を備えている。
【００１８】
前記ミシンアームＡの先端部には、針棒及び押え棒が垂下支持されており、針棒の下端には複数本の針１，１…が、また押え棒の下端には押え金２が夫々取付けられている。前記筒形ベッドＢ1 の上面には、前記針１，１…及び押え金２の下位置に針板３（図２参照）が架設されており、該針板３下部の筒形ベッドＢ1 の内部には、図示しないルーパ及び送り歯が内蔵されている。
【００１９】
前記針１，１…は、ミシンアームＡの内部に架設された図示しない上軸からの伝動により、前記針棒と共に針板３の上下を含む所定のストロークにて上下動するようになしてある。また押え金２は、所定の操作により針板３上に降下せしめられ、ベッド本体Ｂ上にその前方から送り込まれる生地Ｗ（図４参照）を、該針板３との間に挾持するようになしてある。
【００２０】
以上の如く構成された偏平縫いミシンは、図１中に示す如く、筒形ベッドＢ1 の先端部前側にメス機構４を備えている。図２は、メス機構４の要部の構成を針板と共に示す斜視図であり、図３は、メス機構４の分解斜視図である。
【００２１】
図２中の３は、前述の如く筒形ベッドＢ1 の先端部上面に架設された針板である。該針板３には、その略中央部に、前述の如く上下動する針１，１…を降下時に各別に挿通させるための複数（図においては３つ）の針落ち孔30，30…が幅方向に並べて形成され、針落ち位置が設定されており、この針落ち位置の前後及び左右両側には、図示しない送り歯を突出させるべく矩形に開口する送り歯孔31，31…が形成されている。
【００２２】
針板３上には、図２中に白抜矢符にて示す如く、長手方向の一側（前側）から他側（後側）に向けて生地Ｗ（図４参照）が送り込まれるようになしてあり、この生地Ｗは、前記針板３と、これの上部に降下する押え金２（図１参照）との間に挾持され、前記送り孔31，31…から針板３上に突出する図示しない送り歯により所定のストロークでの間欠的な送りを加えられ、この送りに同期して前記針落ち孔30，30…に降下する針１，１…と、針板３下に配された図示しないルーパの動作とにより縫製される構成となっている。
【００２３】
メス機構４は、ベッド本体Ｂの先端側（筒形ベッドＢ1 の突設側）前面に固設されたメス台40と、該メス台40と対応するようにベッド本体Ｂの基端側前面に固設された軸支台41（図１参照）と、これらの間にベッド本体Ｂの外側前面に沿って架設されたメス軸42と、メス台40からのメス軸42の突出部にその基端を嵌着された可動メス43と、該可動メス43にその一側（図の右側）から摺接する固定メス44とを備え、前記可動メス43をミシン主軸（図示せず）からの後述する伝動により動作させ、固定メス44に摺接させて針板３上に送り込まれる生地Ｗの端縁を切断する構成としてある。
【００２４】
図２に示す如くメス台40は、複数本の止ねじによりベッド本体Ｂの先端側前面に締め付け固定され、筒形ベッドＢ1 上に架設された針板３よりも右側に位置させてある。メス軸42は、先端側の軸長方向に離隔した２か所をメス台40に設けられた一対の支持ブラケット 40a,40aにより、また基端側の１か所を前記軸支台41により、軸回りでの回動自在に夫々支持され、前述の如く、ベッド本体Ｂの前面に沿って架設されている。
【００２５】
図２に示す如くメス軸42の先端は、前記生地Ｗの送り方向と略直交する方向に前記針板３の前位置を横切り、該針板３上に設定された針落ち位置の左側にまで突出させてある。
【００２６】
前記可動メス43は、先端に鉤形に湾曲する刃部 43aを備えており、前記メス軸42の突出端部に基部を固定され、後述する伝動により生じるメス軸42の反復回動に応じて揺動し、前記刃部 43aを上下動せしめる構成としてある。針板３には、針落ち孔30，30…の左側前部を適幅に切欠いて矩形の切欠き部32が形成されており、前記可動メス43先端の刃部 43aは、その上動時に、図２に示す如く、前記切欠き部32を経て針板３上に突出するようになしてある。
【００２７】
また前記固定メス44は、図３に示す如く、長手方向一側の端縁に刃部 44aを備える板状の部材であり、可動メス43の取付け位置に隣接してメス台40に支持された固定台45に取付けられ、図２に示す如く、針板３一側の切欠き部32の側縁に前記刃部 44aを沿わせて配してあり、該刃部 44aが、前述した如く上下動する可動メス43の刃部 43aに一側から摺接し、この摺接部にて切断作用を行なわせるように構成されている。
【００２８】
図４は、可動メス43と固定メス44とによる生地の切断状態の説明図である。この切断は、図示の如く、その端縁Ｅを裏面側に折り返した状態で針落ち位置に送り込まれる生地Ｗを対象とし、この折り返し部を前記生地Ｗの表面側に縫い付けるヘム縫いの実施に際し、図中に一点鎖線により示す針落ち位置への到達前に、前記折り返し端縁Ｅを適正幅の折り返し部を余して切断すべく行なわれる。
【００２９】
針落ち位置の前位置において前述の如く上下動する可動メス43は、上動時に前記生地Ｗを裏面側から押し上げ、該生地Ｗの折り返し端縁Ｅの近傍を鉤形に湾曲する刃部 43aにより捉え、この状態で図中に矢符にて示す如く下動し、固定メス44の刃部 44aとの摺接部に導いて切断する。この切断は、前記メス軸42からの伝動により短周期にて生じる可動メス43の上下動により連続的になされ、この切断により切り揃えられた縁部に対してヘム縫いが行われる。
【００３０】
図２に示す如く、メス軸42の中途部には、前記メス台40の一対の支持ブラケット 40a,40aによる支持部間に位置してばね受け環46が同軸的に嵌着固定され、該ばね受け環46と先端側の支持ブラケット 40aとの間にはコイルばね47が介装されており、前記メス軸42は、ばね受け環46の嵌着部位に加わる前記コイルばね47のばね力により基端側、即ち、正面側から見て右向きに付勢されている。この付勢によりメス軸42の先端の可動メス43は、その刃部 43aを固定メス44の刃部 44aに押し付けられた状態で上下動することとなり、両刃部 43a,44a間での生地Ｗの切断を確実に行わせることができる。なお、ばね受け環46の固定位置は、メス軸42の軸長方向に変更可能であり、この変更によりコイルばね46のばね力を増減し、前記刃部 43a,44aの押し付け力を適正に設定し得るようにしてある。
【００３１】
以上の如く可動メス43を上下動させるためのメス軸42への伝動は、前記軸支台41により支持された基端部近傍においてなされている。図１に示す如く、ベッド本体Ｂの基端側前面に固定された軸支台41の下側には、糸繰りカム５が配してある。この糸繰りカム５は、ベッド本体Ｂの内部に支持されたミシン主軸（図示せず）からの伝動により回転し、針落ち位置下にて動作するルーパに供給されるルーパ糸の張力を間欠的に増減する作用をなすものであり、ベッド本体Ｂの基端側前面に前記メス軸42と平行をなして架設されたカム軸50の一端（左端）に固定されている。
【００３２】
前記カム軸50は、ミシンアームＡの脚部Ｃの下方に位置してベッド本体Ｂの前面に固設された支持台51により、軸長方向に離隔した２か所を軸回りでの回転自在に支持されている。該カム軸50の他端（右端）は、ベッド本体Ｂの基端側端面を超えて延設され、同側端面に突出する図示しないミシン主軸にタイミングベルト52を介して連結されている。以上の構成によりカム軸50は、ミシン主軸からの伝動により軸回りに全回転し、左端に嵌着された糸繰りカム５を一方向に連続回転させるための伝動軸としての作用をなす。
【００３３】
ベッド本体Ｂの前面には、以上の如く回転する糸繰りカム５の該当位置に、ルーパ糸の糸道板53が取り付けてあり、糸繰りカム５は、その回転中に糸道板53の上面に適量出没するように位置決めしてある。前記糸道板53には、ミシンアームＡの脚部Ｃの前面に取り付けられた糸調子器６からルーパ糸が供給され、糸繰りカム５の出没位置を横切るように掛け渡されて、ベッド本体Ｂの内部を経て筒形ベッドＢ1 の内側のルーパに導かれている。この構成により前記ルーパ糸は、糸道板53上に糸繰りカム５が突出したとき、該糸繰りカム５により押し上げられて緊張し、糸道板53上から糸繰りカム５が没したとき弛緩することとなり、ルーパの動作に応じて張力を増減されたルーパ糸が供給されるようになる。
【００３４】
本発明に係るメス付きミシンにおいて、前記可動メス43のメス軸42は、以上の如く動作する糸繰りカム５のカム軸50を伝動軸として利用し、前述の如く所定の角度範囲内にて反復回動すべく連結されている。
【００３５】
図５は、メス軸42とカム軸50との連結関係を示す要部拡大斜視図である。なお本図においては、連結部を明示するために、カム軸50の先端部に嵌着された糸繰りカム５、及び該糸繰りカム５が出没する糸道板53の図示を省略している。
【００３６】
図示の如く、伝動軸としてのカム軸50から可動メス43のメス軸42への伝動手段は、カム軸50の中途部に嵌合保持されたエキセン環54と、メス軸42の対応部分に基端を嵌着された伝動レバー48とを備え、該伝動レバー48の先端を前記エキセン環54に、より詳しくは、該エキセン環54に突設されたアーム55の先端に連結して構成されている。
【００３７】
エキセン環54は、ミシン主軸等の一方向に回転する軸から、針、ルーパ、送り歯等の反復動作する可動部への伝動のために、ミシンの各部において広く用いられている公知の機械要素である。図示のエキセン環54は、一方向回転するカム軸50に嵌合保持されており、該エキセン環54のアーム55には、カム軸50の回転が、長さ方向に所定ストロークの往復動作として取り出され、この往復動作が前記伝動レバー48の先端に作用する。この結果、伝動レバー48は、基端が嵌着されたメス軸42を枢軸として揺動し、この揺動に応じてメス軸42は、伝動レバー48の揺動角度に対応する角度範囲にて反復回動することとなり、この反復回動が先端部に取り付けた可動メス43に伝えられて前述した切断動作が行われる。
【００３８】
ここで本発明に係るメス付きミシンにおいては、可動メス43への伝動が、ベッド本体Ｂの前面に沿って延設されたカム軸50及びメス軸42を介してなされ、これらの軸50，42は、ベッド本体Ｂの外側に位置することから、直径を含めたサイズの選定を自在に行わせることができる。従って、切断に伴って可動メス43に加わる大負荷によって切断動作に支障を来す虞れがない。また、ベッド本体Ｂの先端側に突設された筒形ベッドＢ1 内の送り歯を、専用の伝動軸からの伝動により動作させることができ、送り動作に支障を来す虞れがなく、高速下においても安定したヘム縫いを行わせることができる。
【００３９】
また以上の実施の形態においては、ベッド本体Ｂの外部に配した糸繰りカム５への伝動のためのカム軸50をメス軸43への伝動軸として兼用しており、可動メス23専用の伝動軸が不要であり、構成を簡素化することができる。なお、ベッド本体Ｂの外部への糸繰りカム５の配置は、糸調子器６から導かれるルーパ糸のセットが容易となり、また縫製動作中にルーパ糸が切れたときの後始末が容易となることから、従来から採用されている配置である。
【００４０】
また、図５に示す如く、エキセン環54のアーム55への伝動レバー48の連結は、該伝動レバー48の長手方向に延設された長孔49を介してなされ、該長孔49の長さ範囲内にて連結位置を変更可能としてある。この構成により、エキセン環54のアーム55先端の往復動作に伴って生じる伝動レバー48の揺動角度を、前記長孔49の長さ範囲において変更することができ、この揺動がメス軸42を介して伝達されて生じる可動メス43の上下動ストロークを、例えば、対象となる生地Ｗの種類に応じて調整し、常に良好な切断状態を得ることが可能となる。
【００４１】
図６は、本発明に係るメス付きミシンの他の実施の形態を示す外観斜視図である。この実施の形態においては、ミシンアームＡの脚部Ｃの針落ち位置を臨む一面に突設されたカム軸50に糸繰りカム５が取り付けてあり、前記カム軸50の延長端にエキセン環54を嵌合保持させ、該エキセン環54から前方に延びるアーム55の先端と、ベッド本体Ｂの前面に架設されたメス軸42に嵌着された伝動レバー48の上方に延びる先端とを連結し、カム軸50の回転に応じてメス軸42を反復回動せしめる構成となっている。前記カム軸50は、脚部Ｃの内部に周壁を貫通して延長されており、この延長端をタイミングベルトによりベッド本体Ｂ内部のミシン主軸に連結せしめ、ミシン主軸の回転に応じて一方向に回転するようになしてある。なお、この実施の形態において、他の構成部品については、図１に示す実施の形態と同様であり、図１と共通の参照符号を付して詳細な説明を省略する。
【００４２】
また図６においては、前記エキセン環54が糸繰りカム５の外側に位置し、該糸繰りカム５の正面の一部を塞ぐような配置としてあるが、脚部Ｃから突出するカム軸50に糸繰りカム５及びエキセン環54を、前者が外側となるように嵌合保持させて、図１におけると同様に、糸繰りカム５の正面が開放された配置とすることも可能である。この配置とした場合、糸繰りカム５へのルーパ糸のセット、縫製中に切れたルーパ糸の始末が容易となる。
【００４３】
【発明の効果】
以上詳述した如く本発明の第１発明に係るメス付きミシンにおいては、一側に筒形ベッドを備えるベッド本体の前部外側に沿って架設したメス軸を、ベッド本体の外側への伝動軸の突出部に伝動手段を介して連結し、ミシン主軸の回転を伝動軸を介してメス軸に伝え、筒形ベッドの前位置にまで延設された前記メス軸の端部に取り付けた可動メスを針落ち位置の前部に出没させる構成としたから、細径の筒形ベッド内部の伝動軸を利用することなく可動メスを動作させることができ、大負荷が加わる可動メスによる切断動作を安定して行わせることができ、また筒形ベッドの内部の送り歯による送り動作に支障を来す虞れもなく、高速下にて安定したヘム縫いを行わせることが可能となる。
【００４４】
また第２発明に係るメス付きミシンにおいては、ベッド本体の外部に配してある糸繰りカムへの伝動軸をメス軸への伝動のための伝動軸として兼用する構成としたから、専用の伝動軸を新たに設ける必要がなく、簡素な構成により安定した切断動作を行わせることができる。
【００４５】
更に第３発明に係るメス付きミシンにおいては、伝動軸からメス軸への伝動手段を、前者に嵌合保持されたエキセン環と、後者に嵌着された伝動レバーとを連結して構成し、伝動レバーへのエキセン環の連結部位を伝動レバーの長手方向に変更し得る構成としたから、伝動軸からの伝動によって生じるメス軸の反復回動量、及びこの反復回動によって生じる可動メスの動作ストロークを簡易に調節することができ、生地の種類の如何に拘らず確実な切断が可能となる等、本発明は優れた効果を奏する。
【図面の簡単な説明】
【図１】本発明に係るメス付きミシンの全体構成を示す斜視図である。
【図２】本発明に係るメス付きミシンに備えられたメス機構の要部の構成を針板と共に示す斜視図である。
【図３】図２に示すメス機構の要部の分解斜視図である。
【図４】可動メスと固定メスとによる生地の切断状態の説明図である。
【図５】メス軸とカム軸との連結関係を示す要部拡大斜視図である。
【図６】本発明に係るメス付きミシンの他の実施の形態を示す外観斜視図である。
【符号の説明】
１    針
３    針板
４    メス機構
５    糸繰りカム
40    メス台
41    軸支台
42    メス軸
43    可動メス
44    固定メス
50    カム軸（伝動軸）
Ａ    ミシンアーム
Ｂ    ベッド本体
Ｂ1   筒形ベッド
Ｗ    生地
【図１】
0003909453.tif 000002
【図２】
0003909453.tif 000003
【図３】
0003909453.tif 000004
【図４】
0003909453.tif 000005
【図５】
0003909453.tif 000006
【図６】
0003909453.tif 000007